(57)【要約】      （修正有）【課題】ベビーキャリアのベルトに取り付けて使用できるベルト用よだれ受を提供する。【解決手段】幼児と対面し得るベルトＢを有するベビーキャリアにおけるベルトＢに着脱可能に装着するよだれ受であって、ベルトＢに巻かれるよだれ受本体１１と、このよだれ受本体１１の巻き方向両端部に設けられていて相互に係脱可能な面ファスナー１２ｆ、１２ｒと、を備え、面ファスナーは、少なくともフック面１２ｆを、フックとループとを混在させフックをループより低くした混合面とするとともに、よだれ受本体１１は、その縁部１１ｅに、縁かがり縫いまたは縁ロック仕上げを施した。【選択図】図１
0003179615.tif 000002
【実用新案登録請求の範囲】
【請求項１】
幼児と対面し得るベルトを有するベビーキャリアにおける前記ベルトに着脱可能に装着するよだれ受であって、
前記ベルトに巻かれるよだれ受本体と、このよだれ受本体の巻き方向両端部に設けられていて相互に係脱可能な面ファスナーと、を備え、
前記面ファスナーは、少なくともフック面を、フックとループとを混在させフックをループより低くした混合面とするとともに、前記よだれ受本体は、その縁部に、縁かがり縫いまたは縁ロック仕上げを施したことを特徴とするベルト用よだれ受。
【考案の詳細な説明】
【技術分野】
【０００１】
本考案は，ベルト用よだれ受に関する。より詳しくは、幼児と対面し得るベルトを有するベビーキャリア（ベビーカーを含む）におけるそのベルトに着脱可能に装着するよだれ受に関するものである。
【背景技術】
【０００２】
従来，例えば特許文献１（主として図５）に見られるように、幼児と対面し得るベルト（３０）を有するベビーキャリアが知られている。
この種のベビーキャリアにおいては、ベルト（３０）に幼児のよだれが付くおそれがあることから、ベルト（３０）に取り付けて使用できるよだれ受の提供が望まれる。
【先行技術文献】
【特許文献】
【０００３】
【特許文献１】特開２００３−１００１０号公報
【考案の概要】
【考案が解決しようとする課題】
【０００４】
本考案が解決しようとする課題は，ベビーキャリアのベルトに取り付けて使用できるベルト用よだれ受を提供することである。
【課題を解決するための手段】
【０００５】
上記課題を解決するために，本考案のベルト用よだれ受は，
幼児と対面し得るベルトを有するベビーキャリアにおける前記ベルトに着脱可能に装着するよだれ受であって、
前記ベルトに巻かれるよだれ受本体と、このよだれ受本体の巻き方向両端部に設けられていて相互に係脱可能な面ファスナーと、を備え、
前記面ファスナーは、少なくともフック面を、フックとループとを混在させフックをループより低くした混合面とするとともに、前記よだれ受本体は、その縁部に、縁かがり縫いまたは縁ロック仕上げを施したことを特徴とする。
このベルト用よだれ受によれば，ベビーキャリアのベルトによだれ受本体を巻いて、その巻き方向両端部に設けられている面ファスナーを係合（接合）させることによってベルトに取り付けて使用することができる。
そして、このベルト用よだれ受によれば、前記面ファスナーは、少なくともフック面が、フックとループとを混在させフックをループより低くした混合面となっているので、フック面を全てフックとした場合に比べて、柔らかな肌さわりが得られる。したがって、フック面が誤って幼児に触れた場合でも、幼児に優しいという効果が得られる。また、フック面がよだれ受本体の表面に接触しても、よだれ受本体を傷めにくいという効果も得られる。
このように、面ファスナーの少なくともフック面を、フックとループとを混在させフックをループより低くした混合面とした場合において、よだれ受本体の縁部の処理に何らの工夫も講じないとしたならば（例えばバイアステープを巻いて縫いつけたとしたならば）、よだれ受本体の縁部の厚さが大きくなり、前記面ファスナーの接着力が低下してしまうおそれがある。
これに対し、このベルト用よだれ受によれば、よだれ受本体の縁部には、縁かがり縫いまたは縁ロック仕上げが施されているので、よだれ受本体の縁部の厚さを薄くすることができる。したがって、面ファスナーの少なくともフック面を、フックとループとを混在させフックをループより低くした混合面としているにもかかわらず、面ファスナーの接着力を保持することが可能である。
以上のようにこの考案によれば、幼児に優しく、しかも装着力も維持できるベルト用よだれ受を提供することができる。
【図面の簡単な説明】
【０００６】
【図１】本考案に係るベルト用よだれ受の一実施の形態を示す図で、（ａ）は装着状体の正面図、（ｂ）は同じく平面図、（ｃ）は展開図、（ｄ）は（ｃ）の平面図、（ｅ）は（ｃ）の背面図。
【図２】他の実施の形態を示す図で、（ａ）は装着状体の正面図、（ｂ）は同じく平面図、（ｃ）は展開図、（ｄ）は（ｃ）の平面図、（ｅ）は（ｃ）の背面図。
【図３】他の実施の形態を示す図で、（ａ）は装着状体の正面図、（ｂ）は同じく平面図、（ｃ）は展開図、（ｄ）は（ｃ）の平面図、（ｅ）は（ｃ）の背面図。
【考案を実施するための形態】
【０００７】
以下，本考案に係るベルト用よだれ受の実施の形態について図面を参照して説明する。なお、各図において、同一部分ないし相当する部分には、同一の符号を付してある。
図１に示すように、この実施の形態のベルト用よだれ受１０は，幼児と対面し得るベルトＢを有するベビーキャリア（図示せず）におけるベルトＢに着脱可能に装着するよだれ受であって、ベルトＢに巻かれるよだれ受本体１１と、このよだれ受本体１１の巻き方向（図（ｃ）における矢印Ｘ方向）の両端部に設けられていて相互に係脱可能な面ファスナー１２ｆ、１２ｒと、を備えている。
【０００８】
面ファスナー１２ｆ、１２ｒは、少なくともフック面１２ｆを、フックとループとを混在させフックをループより低くした混合面としてある。ループ面１２ｒも同様の混合面とすることもできる。
よだれ受本体１１は、その縁部１１ｅに、縁かがり縫い１１ｋまたは縁ロック仕上げを施してある。図示のものは縁かがり縫い１１ｋを施したものを示しているが、縁ロック仕上げを施しても良い。
【０００９】
このベルト用よだれ受１０によれば，図（ａ）（ｂ）に示すように、ベビーキャリアのベルトＢによだれ受本体１１を巻いて、その巻き方向両端部に設けられている面ファスナー１２ｆ、１２ｒを係合（接合）させることによってベルトＢに取り付けて使用することができる。
そして、このベルト用よだれ受１０によれば、面ファスナー１２ｆ、１２ｒは、少なくともフック面１２ｆが、フックとループとを混在させフックをループより低くした混合面となっているので、フック面１２ｆを全てフックとした場合に比べて、柔らかな肌さわりが得られる。したがって、フック面１２ｆが誤って幼児に触れた場合でも、幼児に優しいという効果が得られる。また、フック面がよだれ受本体１１の表面に接触しても、よだれ受本体１１を傷めにくいという効果も得られる。
【００１０】
このように、面ファスナー１２ｆ、１２ｒの少なくともフック面１２ｆを、フックとループとを混在させフックをループより低くした混合面とした場合において、よだれ受本体１１の縁部１１ｅの処理に何らの工夫も講じないとしたならば（例えばバイアステープを巻いて縫いつけたとしたならば）、よだれ受本体１１の縁部１１ｅの厚さｔが大きくなり、面ファスナー１２ｆ、１２ｒの接着力が低下してしまうおそれがある（図（ｂ）に示すように面ファスナー１２ｆ、１２ｒを接合させる際、厚い縁部（図示せず）が面ファスナー１２ｆ、１２ｒの接合性を阻害するおそれがある）
【００１１】
これに対し、このベルト用よだれ受１０によれば、よだれ受本体１１の縁部１１ｅには、縁かがり縫いまたは縁ロック仕上げが施されているので、よだれ受本体１１の縁部１１ｅの厚さを薄くすることができる。したがって、面ファスナー１２ｆ、１２ｒの少なくともフック面１２ｆを、フックとループとを混在させフックをループより低くした混合面としているにもかかわらず、面ファスナー１２ｆ、１２ｒの接着力を保持することが可能である。
以上のようにこのベルト用よだれ受１０によれば、幼児に優しく、しかも装着力も維持できるベルト用よだれ受を提供することができる。
【００１２】
よだれ受本体１１は幼児のよだれを吸収し得る適宜の材料で構成することができる。例えば、表生地をガーゼ、裏生地をワッフル生地とし、これらを縁部１１ｅで縫合（縁かがり縫いまたは縁ロック仕上げ）して構成することができる。
このように構成すると、表生地であるガーゼにシルク印刷を施すことが可能になる。また、表生地、裏生地のいずれに面ファスナーのフック面１２ｆが接触しても、フックが引っ掛かりにくいため、生地が傷みにくいという効果が得られる。
【００１３】
よだれ受本体１１の形状は適宜の形状を採用することができる。
例えば、図１に示すように、巻き方向両端部に切り欠き凹部１１ｈを設けることで、面ファスナー１２ｆ、１２ｒの使用量を減らし、コストダウンを図ることができる。
また、図２，図３に示すように、巻き方向両端部を先狭に形成することで、面ファスナー１２ｆ、１２ｒの使用量を減らすこともできる。
【００１４】
図１〜図３に示すように、よだれ受本体１１における、ループ面１２ｒの裏面側には、滑り止めシート１４を取り付けることが望ましい。
このように構成すると、図（ｂ）に示すようにベルトＢに巻き付けて装着した際、滑り止めシート１４がベルトＢに接触することで、ベルト用よだれ受１０がベルトＢに対して滑りにくくなる。
【００１５】
以上，本考案の実施の形態について説明したが，本考案は上記の実施の形態に限定されるものではなく，本考案の要旨の範囲内において適宜変形実施可能である。
【符号の説明】
【００１６】
Ｂ：ベルト
１０：ベルト用よだれ受
１１：よだれ受本体１１
１１ｅ：縁部１１
１２ｆ、１２ｒ：面ファスナー
１２ｆ：フック面
【図１】
0003179615.tif 000003
【図２】
0003179615.tif 000004
【図３】
0003179615.tif 000005